(57)【要約】【課題】簡易、かつ、強度を低下させることのない構成で、ばね接点部の過大な変位を防止しつつ、雄端子のタブ状接続部に対してばね接点部が十分な接触荷重を確保することができる雌端子を提供すること。【解決手段】膨らみ部分１２ｂと対向面１１ｃの間で筒状部１１に挿入されたタブ状接続部５１を挟持することによってタブ状接続部５１に接続し、かつ、先端部が一面１１ｂ側に鉤状に折り返した鉤状折り返し部１２ｄになっているばね接点部１２と、タブ状接続部５１が挿入された場合、折り曲げ部分１２ａを支点として回動されるばね接点部１２の鉤状折り返し部１２ｄが一面１１ｂに当接した状態で先端面１２ｄｄが当接されることによってばね接点部１２の先端側の支点となり、かつ、一面１１ｂ側に弾性変形された膨らみ部分１２ｂが当接されることによってばね接点部１２の過大変位を防止するように一面１１ｂに突設された当接突起１３と、を有する。【選択図】図６
2019057454.tif 000002
【特許請求の範囲】
【請求項１】
雄端子のタブ状接続部が挿入される筒状部の一面側の板状の壁を前記タブ状接続部が挿入される開口側から筒内方に向けて折り返した折り曲げ部分と折り返し部分の先端部との間に前記一面に対向する対向面側に山なりに膨らみ部分を設けて屈曲形成され、該膨らみ部分と前記対向面の間で前記筒状部に挿入された前記タブ状接続部を挟持することによって前記タブ状接続部に接続し、かつ、前記先端部が前記一面側に鉤状に折り返した鉤状折り返し部になっているばね接点部と、
前記対向面と前記膨らみ部分との間に前記タブ状接続部が挿入された場合、前記折り曲げ部分を支点として回動される前記ばね接点部の前記鉤状折り返し部が前記一面に当接した状態で先端面が当接されることによって前記ばね接点部の先端側の支点となり、かつ、前記一面側に弾性変形された前記膨らみ部分が当接されることによって前記ばね接点部の過大変位を防止するように前記一面に突設された当接突起と、
を有する
ことを特徴とする雌端子。
【発明の詳細な説明】
【技術分野】
【０００１】
本発明は、雄端子のタブ状接続部に接続されるばね接点部を有する雌端子に関する。
【背景技術】
【０００２】
従来、板状の金属部材を抜き打ち加工、および、曲げ加工を施すことによって成形される雌端子は、雄端子のタブ状接続部が挿入される筒状部内にタブ状接続部が挿入される開口側から筒内方に向けて折り返して形成されたばね接点部が設けられている。
このようなばね接点部は、雄端子のタブ状接続部との十分な接触荷重を確保することが接続信頼性において重要である。
【０００３】
例えば、特許文献１には、タブ（タブ状接続部）が端子接続部（筒状部）に挿入された状態では、基板部側への変位を規制される第２支点部と、第２支点部と接点部とに連なるように形成され、タブが端子接続部に挿入された状態では、弾性変形することで接点部とタブとの間の接触圧を生じさせる撓み部を備えた端子金具（雌端子）が記載されている。
また、特許文献１に記載の端子金具は、弾性接触片（ばね接点部）の後端部が補強部からの反力を受けることによって、弾性接触片（ばね接点部）が第１支持部と、補強部とによって両持ち支持の状態になり、接点部とタブとの十分な接触荷重が確保できるようになっている。
【先行技術文献】
【特許文献】
【０００４】
【特許文献１】特開２０１１−２１６４３５号公報
【発明の概要】
【発明が解決しようとする課題】
【０００５】
しかしながら、特許文献１に記載の端子金具は、弾性接触片（ばね接点部）の過大な変位を抑えるための構成と、弾性接触片（ばね接点部）を両持ち支持して十分な接触荷重を確保するための構成とが別々に設けられているため、構造が複雑化してしまう問題があった。
しかも、特許文献１に記載の端子金具は、弾性接触片（ばね接点部）の過大な変位を抑えるために第２支点部が係止される係止孔が端子接続部に形成されているため、端子接続部の強度が低下してしまう問題があった。
【０００６】
本発明は、上記に鑑みてなされたものであって、簡易、かつ、強度を低下させることのない構成で、ばね接点部の過大な変位を防止しつつ、雄端子のタブ状接続部に対してばね接点部が十分な接触荷重を確保することができる雌端子を提供することを目的とする。
【課題を解決するための手段】
【０００７】
上述した課題を解決し、目的を達成するために、本発明の請求項１に係る雌端子は、雄端子のタブ状接続部が挿入される筒状部の一面側の板状の壁を前記タブ状接続部が挿入される開口側から筒内方に向けて折り返した折り曲げ部分と折り返し部分の先端部との間に前記一面に対向する対向面側に山なりに膨らみ部分を設けて屈曲形成され、該膨らみ部分と前記対向面の間で前記筒状部に挿入された前記タブ状接続部を挟持することによって前記タブ状接続部に接続し、かつ、前記先端部が前記一面側に鉤状に折り返した鉤状折り返し部になっているばね接点部と、前記対向面と前記膨らみ部分との間に前記タブ状接続部が挿入された場合、前記折り曲げ部分を支点として回動される前記ばね接点部の前記鉤状折り返し部が前記一面に当接した状態で先端面が当接されることによって前記ばね接点部の先端側の支点となり、かつ、前記一面側に弾性変形された前記膨らみ部分が当接されることによって前記ばね接点部の過大変位を防止するように前記一面に突設された当接突起と、を有することを特徴とする。
【発明の効果】
【０００８】
本発明に係る雌端子は、前記当接突起が、前記筒状部の前記対向面と前記膨らみ部分との間に前記タブ状接続部が挿入された場合、前記折り曲げ部分を支点として回動される前記ばね接点部の前記鉤状折り返し部が前記一面に当接した状態で先端面が当接されることによって前記ばね接点部の先端側の支点となり、かつ、前記一面側に弾性変形された前記膨らみ部分が当接されることによって前記ばね接点部の過大変位を防止することができる。
しかも、本発明に係る雌端子は、前記当接突起が、支点および過大変位防止の両方の機能をなすようになっているため、簡易な構成であるとともに、過大変位防止のために係止孔を形成して強度を低下させる必要が無いため、簡易、かつ、強度を低下させることのない構成で、ばね接点部の過大な変位を防止しつつ、雄端子のタブ状接続部に対してばね接点部が十分な接触荷重を確保することができる。
【図面の簡単な説明】
【０００９】
【図１】図１は、（ａ）が本発明の実施例に係る雌端子の断面図であり、（ｂ）が（ａ）に示した雌端子のばね接点部周辺の拡大図である。
【図２】図２は、雌端子が収容されるコネクタハウジングの斜視図である。
【図３】図３は、図１に示した雌端子がコネクタハウジングに収容されたコネクタの断面図である。
【図４】図４は、雄端子のタブ状接続部が雌端子のばね接点部に接続された状態を示したコネクタの断面図である。
【図５】図５は、弾性変形された膨らみ部分が当接突起に当接されることによってばね接点部の過大変位を防止することを説明するための図である。
【図６】図６は、コネクタハウジングの端子収容室に雌端子が収容された状態のコネクタの断面図であり、（ａ）が雄端子が雌端子に接続される前の状態を示した図であり、（ｂ）が雄端子が雌端子に接続された状態を示した図である。
【発明を実施するための形態】
【００１０】
以下、図面を参照して、本発明に係る雌端子の好適な実施例を詳細に説明する。
【実施例】
【００１１】
図１は、（ａ）が本発明の実施例に係る雌端子１の断面図であり、（ｂ）が（ａ）に示した雌端子１のばね接点部１２周辺の拡大図である。図２は、雌端子１が収容されるコネクタハウジング１１０の斜視図である。図３は、図１に示した雌端子１がコネクタハウジング１１０に収容されたコネクタ１００の断面図である。図４は、雄端子５０のタブ状接続部５１が雌端子１のばね接点部１２に接続された状態を示したコネクタ１００の断面図である。図５は、弾性変形された膨らみ部分１２ｂが当接突起１３に当接されることによってばね接点部１２の過大変位を防止することを説明するための図である。
本発明の実施例に係る雌端子１は、図１に示すように、雄端子５０のタブ状接続部５１が挿入される筒状部１１内にタブ状接続部５１が接続されるばね接点部１２が設けられている。
【００１２】
この雌端子１は、電線６０の端末部に取り付けられ、図２に示すようなコネクタハウジング１１０の端子収容室１１１内に収容されることによって、コネクタ１００の端子部分として機能するものである。
【００１３】
雌端子１は、板状の金属部材に抜き打ち加工、および、曲げ加工を施すことによって成形され、雄端子５０に接続される部分となる相手端子接続部１０と、電線６０の端末部に接続される部分となる電線接続部２０と、相手端子接続部１０と電線接続部２０とを連結する連結部３０と、を有する。
【００１４】
相手端子接続部１０は、前端面に雄端子５０のタブ状接続部５１が挿入される開口１１ａが形成された筒状部１１と、ばね接点部１２と、ばね接点部１２の先端側の支点となり、かつ、ばね接点部１２の過大変位を防止する当接突起１３と、を有する。
【００１５】
筒状部１１は、板状の金属部材が折り曲げられることによって４つの面が形成された角筒形状をなしている。
【００１６】
ばね接点部１２は、筒状部１１の一面１１ｂ側の板状の壁１１ｂｂをタブ状接続部５１が挿入される開口１１ａ側から筒内方に向けて折り返して設けられている。
このばね接点部１２は、折り曲げ部分１２ａと折り返し部分の先端部との間に一面１１ｂに対向する対向面１１ｃ側に山なりに膨らみ部分１２ｂを設けて屈曲形成され、膨らみ部分１２ｂと対向面１１ｃの間で筒状部１１に挿入されたタブ状接続部５１を挟持することによってタブ状接続部５１に接続するようになっている。
また、ばね接点部１２は、折り曲げ部分１２ａと折り返し部分の先端部との間の膨らみ部分１２ｂには、打ち出し成形によって対向面１１ｃ側に半球面状に膨出され、タブ状接続部５１に接触される部分となる膨出接点部１２ｃが設けられている。
【００１７】
さらに、ばね接点部１２は、先端部が一面１１ｂ側に鉤状に折り返した鉤状折り返し部１２ｄになっている。
【００１８】
当接突起１３は、対向面１１ｃと膨らみ部分１２ｂとの間にタブ状接続部５１が挿入された場合、折り曲げ部分１２ａを支点として回動されるばね接点部１２の鉤状折り返し部１２ｄが一面１１ｂに当接した状態で先端面１２ｄｄが当接されることによってばね接点部１２の先端側の支点となり、かつ、一面１１ｂ側に弾性変形された膨らみ部分１２ｂが当接されることによってばね接点部１２の過大変位を防止するように筒状部１１の一面１１ｂに突設された部分である。
【００１９】
この当接突起１３は、一面１１ｂを形成する板状の壁を打ち出し成形することによって設けられているため、変形され難いようになっている。
【００２０】
また、当接突起１３は、一面１１ｂから当接突起１３の頂点に向けて傾斜された面であり、ばね接点部１２の鉤状折り返し部１２ｄの先端面１２ｄｄが当接される側部当接面１３ａが側面に形成されている。
また、当接突起１３は、頂点にばね接点部１２の膨らみ部分１２ｂが当接される上部当接面１３ｂが上面に形成されている。
【００２１】
このようなばね接点部１２および当接突起１３を有する雌端子１は、対向面１１ｃと膨らみ部分１２ｂとの間にタブ状接続部５１が挿入されていない状態では、図１および図３に示すように、ばね接点部１２が変形されていない弾性的に中立な状態になっている。
変形されていない弾性的に中立な状態のばね接点部１２は、鉤状折り返し部１２ｄが一面１１ｂとの間に隙間を空け、かつ、先端面１２ｄｄが当接突起１３との間に隙間を空けた位置に配置されている。
【００２２】
一方、対向面１１ｃと膨らみ部分１２ｂとの間にタブ状接続部５１が挿入された状態では、雌端子１は、図４に示すように、タブ状接続部５１がばね接点部１２の膨らみ部分１２ｂに接触され、ばね接点部１２が折り曲げ部分１２ａを支点として一面１１ｂ側に回動されることによって、鉤状折り返し部１２ｄが一面１１ｂに当接した状態で先端面１２ｄｄが当接突起１３に当接される。
このようにして鉤状折り返し部１２ｄが一面１１ｂに当接した状態で先端面１２ｄｄが当接突起１３に当接されると、ばね接点部１２は、折り曲げ部分１２ａと、当接突起１３とによって両持ち支持された状態になり、タブ状接続部５１に対して接触荷重を十分に確保することができる。
【００２３】
なお、雌端子１は、例えば、タブ状接続部５１が傾いて挿入されたり、また、異物が挿入される場合が想定され、図５示すように、タブ状接続部５１が異常な角度で対向面１１ｃと膨らみ部分１２ｂとの間に挿入され、ばね接点部１２に過大変位を生じさせる外力が作用した場合、膨らみ部分１２ｂが当接突起１３に当接されることによってばね接点部１２にかかる過大な応力を逃がすことができるようになっている。
より具体的には、雌端子１は、ばね接点部１２の膨らみ部分１２ｂが当接突起１３に当接され、先端部の鉤状折り返し部１２ｄを対向面１１ｃ側に向けるように膨らみ部分１２ｂを反り返すことによって、鉤状折り返し部１２ｄが当接突起１３および一面１１ｂに当接されることなく、ばね接点部１２が一面１１ｂとの間の隙間に弾性的に撓むことによって過大な応力を逃がすことができるようになっている。
【００２４】
電線接続部２０は、電線６０の先端部の絶縁被覆６２が除去されて露出された導体部６１に加締められる導体加締め部２１と、導体部６１が絶縁被覆６２によって包囲された部分に加締められる被覆加締め部２２と、を有する。
【００２５】
連結部３０は、底壁３１と、底壁３１の両端縁に立設された一対の側壁３２、３２と、を有し、底壁３１に向かい合う部分が端子収容室１１１内に設けられた弾性係止片１１１ａによって係止される係止孔３３になっている。
【００２６】
次に、図６を用いて、端子収容室１１１に収容された雌端子１に雄端子５０が接続される様子を鉤状折り返し部１２ｄおよび当接突起１３の作用を含めて説明する。
図６は、コネクタハウジング１１０の端子収容室１１１に雌端子１が収容された状態のコネクタ１００の断面図であり、（ａ）が雄端子５０が雌端子１に接続される前の状態を示した図であり、（ｂ）が雄端子５０が雌端子１に接続された状態を示した図である。
【００２７】
端子収容室１１１に収容された雌端子１は、雄端子５０と接続される前の状態では、ばね接点部１２が弾性変形されていない状態になっている（図６（ａ）参照）。
弾性変形されていないばね接点部１２は、鉤状折り返し部１２ｄが一面１１ｂとの間に隙間を空け、かつ、先端面１２ｄｄが当接突起１３との間に隙間を空けた位置に配置されている。
【００２８】
端子収容室１１１内に雄端子５０のタブ状接続部５１が挿入され、筒状部１１の対向面１１ｃとばね接点部１２の膨らみ部分１２ｂとの間にタブ状接続部５１が挿入されることによって、雄端子５０が雌端子１に接続完了される（図６（ｂ）参照）。
筒状部１１の対向面１１ｃとばね接点部１２の膨らみ部分１２ｂとの間にタブ状接続部５１が挿入されると、タブ状接続部５１が膨らみ部分１２ｂに摺接されながら端子収容室１１１の内方に移動され、膨出接点部１２ｃに接触される。
このようにして端子収容室１１１の内方に移動したタブ状接続部５１が、ばね接点部１２の膨らみ部分１２ｂを筒状部１１の一面１１ｂ側に押圧することによって、ばね接点部１２が折り曲げ部分１２ａを支点として一面１１ｂ側に回動され、鉤状折り返し部１２ｄが一面１１ｂに当接した状態で先端面１２ｄｄが当接突起１３に当接される。
鉤状折り返し部１２ｄが一面１１ｂに当接した状態で先端面１２ｄｄが当接突起１３に当接されると、ばね接点部１２が折り曲げ部分１２ａと、当接突起１３とによって両持ち支持された状態になるため、タブ状接続部５１に対して接触荷重を十分に確保する。
【００２９】
なお、端子収容室１１１内に雄端子５０のタブ状接続部５１が挿入完了される前に、ばね接点部１２に過大変位を生じさせる外力が作用した場合、上述したように、膨らみ部分１２ｂが当接突起１３に当接されることによってばね接点部１２にかかる過大な応力を逃がすことができる。
【００３０】
本発明の実施例に係る雌端子１は、当接突起１３が、筒状部１１の対向面１１ｃと膨らみ部分１２ｂとの間にタブ状接続部５１が挿入された場合、折り曲げ部分１２ａを支点として回動されるばね接点部１２の鉤状折り返し部１２ｄが一面１１ｂに当接した状態で先端面１２ｄｄが当接されることによってばね接点部１２の先端側の支点となり、かつ、一面１１ｂ側に弾性変形された膨らみ部分１２ｂが当接されることによってばね接点部１２の過大変位を防止することができる。
しかも、本発明に係る雌端子１は、当接突起１３が支点および過大変位防止の両方の機能をなすようになっているため、簡易な構成であるとともに、過大変位防止のために係止孔を形成して強度を低下させる必要が無いため、簡易、かつ、強度を低下させることのない構成で、ばね接点部１２の過大な変位を防止しつつ、雄端子５０のタブ状接続部５１に対してばね接点部１２が十分な接触荷重を確保することができる。
【００３１】
以上、本発明者によってなされた発明を、上述した発明の実施例に基づき具体的に説明したが、本発明は、上述した発明の実施例に限定されるものではなく、その要旨を逸脱しない範囲において種々変更可能である。
【符号の説明】
【００３２】
１        雌端子
１０      相手端子接続部
１１      筒状部
１１ａ    開口
１１ｂ    一面
１１ｂｂ  壁
１１ｃ    対向面
１２      ばね接点部
１２ａ    折り曲げ部分
１２ｂ    膨らみ部分
１２ｃ    膨出接点部
１２ｄ    鉤状折り返し部（先端部）
１２ｄｄ  先端面
１３      当接突起
１３ａ    側部当接面
１３ｂ    上部当接面
２０      電線接続部
２１      導体加締め部
２２      被覆加締め部
３０      連結部
３１      底壁
３２      側壁
３３      係止孔
５０      雄端子
５１      タブ状接続部
６０      電線
６１      導体部
６２      絶縁被覆
１００    コネクタ
１１０    コネクタハウジング
１１１    端子収容室
１１１ａ  弾性係止片
【図１】
2019057454.tif 000003
【図２】
2019057454.tif 000004
【図３】
2019057454.tif 000005
【図４】
2019057454.tif 000006
【図５】
2019057454.tif 000007
【図６】
2019057454.tif 000008